(57)【特許請求の範囲】
【請求項１】
ＦＦＰＥ切片から生体物質を特異的に検出する生体物質検出方法において、
蛍光標識体を用いて前記ＦＦＰＥ切片を免疫染色する工程と、
形態観察のための染色試薬を用いて前記ＦＦＰＥ切片を形態観察染色する工程であって、前記染色試薬としてエオジンを含む染色試薬を使用する工程と、
染色後の前記ＦＦＰＥ切片に励起光を照射して蛍光発光させ、前記ＦＦＰＥ切片から前記生体物質を検出する工程とを、有しており、
前記ＦＦＰＥ切片を免疫染色する工程では、前記蛍光標識体として、蛍光色素が有機物または無機物の粒子に内包され、かつ、励起波長が前記染色試薬の励起波長域とは異なる領域に存在する蛍光色素内包粒子であって、平均粒径が５０〜２００ｎｍである前記蛍光色素内包粒子を使用する生体物質検出方法。
【請求項２】
ＦＦＰＥ切片から生体物質を特異的に検出する生体物質検出方法において、
蛍光標識体を用いて前記ＦＦＰＥ切片を免疫染色する工程と、
形態観察のための染色試薬を用いて前記ＦＦＰＥ切片を形態観察染色する工程であって、前記染色試薬としてエオジンを含む染色試薬を使用する工程と、
染色後の前記ＦＦＰＥ切片に励起光を照射して蛍光発光させ、前記ＦＦＰＥ切片から前記生体物質を検出する工程とを、有しており、
前記ＦＦＰＥ切片を免疫染色する工程では、前記蛍光標識体として、蛍光体または半導体で組成された蛍光ナノ粒子が有機物または無機物の粒子に内包され、かつ、励起波長が前記染色試薬の励起波長域とは異なる領域に存在する蛍光ナノ粒子内包粒子であって、平均粒径が５０〜２００ｎｍである前記蛍光ナノ粒子内包粒子を使用する生体物質検出方法。
【請求項３】
請求項１または２に記載の生体物質検出方法において、
前記ＦＦＰＥ切片を免疫染色する工程では、前記蛍光標識体として、励起波長が３５０〜４５０ｎｍの波長域かまたは５５０ｎｍ以上の長波長域に存在し、かつ、抗ヒトＥＲ抗体が結合した抗ヒトＥＲ抗体結合・蛍光標識体を使用し、
前記ＦＦＰＥ切片を形態観察染色する工程では、前記染色試薬として、励起波長域が３５０ｎｍ未満および４５０ｎｍを超えかつ５５０ｎｍ未満のエオジンを含む染色試薬を使用する生体物質検出方法。
【請求項４】
請求項３に記載の生体物質検出方法において、
前記ＦＦＰＥ切片を免疫染色する工程では、前記抗ヒトＥＲ抗体結合・蛍光標識体として、発光波長が５５０〜７００ｎｍの波長域に存在する蛍光標識体を使用する生体物質検出方法。
【請求項５】
請求項３に記載の生体物質検出方法において、
前記ＦＦＰＥ切片を免疫染色する工程では、前記抗ヒトＥＲ抗体結合・蛍光標識体として、発光波長が５９０〜６５０ｎｍの波長域に存在する蛍光標識体を使用する生体物質検出方法。
【請求項６】
請求項３に記載の生体物質検出方法において、
前記ＦＦＰＥ切片を免疫染色する工程では、前記抗ヒトＥＲ抗体結合・蛍光標識体として、発光波長が５９０〜６３０ｎｍの波長域に存在する蛍光標識体を使用する生体物質検出方法。
【請求項７】
請求項１に記載の生体物質検出方法において、
前記蛍光色素内包粒子の内包用の粒子が、ポリスチレン、ポリアミド、ポリ乳酸、ポリアクリロニトリル、ポリグリシジルメタクリレート、ポリメラミン、ポリウレア、ポリベンゾグアナミン、ポリフラン、ポリキシレン、フェノール樹脂、多糖のうちの１種以上の物質から構成される生体物質検出方法。
【請求項８】
請求項１に記載の生体物質検出方法において、
前記蛍光色素内包粒子中の蛍光色素が、ローダミン系色素分子、ＢＯＤＩＰＹ系色素分子、Ｔｅｘａｓ  Ｒｅｄ系色素分子、スクアリリウム系色素分子、シアニン系色素分子、ローダミン系色素分子、オキサジン系色素分子、カルボピロニン系色素分子のうちの１種以上の物質から構成される生体物質検出方法。
【請求項９】
請求項２に記載の生体物質検出方法において、
前記蛍光ナノ粒子内包粒子中の蛍光ナノ粒子が、半導体または酸化物蛍光体から構成される生体物質検出方法。
【発明の詳細な説明】
【技術分野】
【０００１】
本発明は生体物質検出方法にかかり、特に蛍光標識を用いて多重に染色された組織染色に関する。
【背景技術】
【０００２】
医学的診断の１つとして、病理診断が行なわれている。病理医は人体から採取した組織片から病気を診断し，治療や手術の要不要を臨床医に伝える。患者の状態と病理診断によって、内科系医師は薬物治療方針、外科系の医師は手術を行うか否かを決定する。【０００３】
病理診断では、臓器摘出や針生検によって得た組織検体を厚さ数ミクロン程度に薄切して組織標本を作成し、様々な所見を得るために光学顕微鏡を用いて拡大観察することが広く行われている。多くの場合、標本は、採取した組織を固定するため脱水し、パラフィンブロック化した後、数μｍの厚さに薄切りし、パラフィンを取り除いて作製される。ここで、標本は光を殆ど吸収および散乱せず無色透明に近いため、観察に先立って色素による染色を施すのが一般的である。【０００４】
染色手法としては種々のものが提案されている。
特に組織標本に関しては、標本の形態を観察するための形態観察染色として、ヘマトキシリンおよびエオジンの２つの色素を用いるヘマトキシリン・エオジン染色（ＨＥ染色）が標準的に用いられている（非特許文献１、特許文献１〜２）。
ヘマトキシリン染色により細胞核・石灰部・軟骨組織・細菌・粘液が青藍色〜淡青色に染色され、エオジン染色により細胞質・間質・各種線維・赤血球・角化細胞が赤〜濃赤色に染色される。病理医は、染色された組織標本の顕微鏡画像の中で、細胞の核の大きさや形の変化、組織としてのパターンの変化などの形態学的な情報、染色情報、をもとに診断を行っている。
なお、この他の形態観察染色としては、例えば細胞診用いられるパパニコロウ染色（Ｐａｐ染色）等がある。【０００５】
また、病理診断では、免疫染色と呼ばれる、標本の分子情報の発現を確認するための分子標的染色を施し、遺伝子やタンパクの発現異常といった機能異常を診断する免疫観察が行なわれている。
免疫染色には、例えば、酵素を用いた色素染色法（ＤＡＢ染色）が用いられる。ＤＡＢ染色は、色素で染色されるように修飾された抗体を用いて観察対象となる抗原を染色して観察することで抗原量を測るものである。あるいは蛍光標識法が用いられることもある。蛍光標識法は、蛍光色素が修飾された抗体を用いて対象となる抗原を染色して観察することで抗原量を測るものである。【０００６】
現在、標本の形態観察と免疫観察を同時に行うことが試みられており、例えば、形態観察のためのＨＥ染色と免疫観察のためのＤＡＢ染色を同時に行なうことが試みられている（特許文献３）。
しかしながら、ＤＡＢ染色のような酵素標識による染色はＨＥ染色と色が近いため、ＨＥ染色による染色と酵素標識による染色の識別がしにくく、同時観察が困難という課題がある。加えて、ＤＡＢ染色は染色濃度が温度・時間などの環境条件により大きく左右されるため、染色濃度から実際の抗体等の量を見積もることが難しいという課題がある。【０００７】
一方、病理診断に蛍光標識を用いることが行なわれている。
蛍光法はＤＡＢ染色と比べて定量性に優れるという特徴がある（非特許文献１）。
しかしながら、蛍光標識を用いて病理診断と形態観察を同時に行う場合、組織染色に用いた染色剤の蛍光の影響を受け易いという課題がある。これに対して例えば、可視光の影響を受けない、赤外励起・発光の蛍光色素を使うことが挙げられる（特許文献４）。例えば、ＡｌｅｘａＦｌｕｏｒ６４７（Ｍｏｌｅｃｕｌａｒ  Ｐｒｏｂｅｓ社）やＣＹ５（ＧＥ社）のような赤外発光色素がある。
【先行技術文献】
【特許文献】
【０００８】
【特許文献１】特表２００１−５２５５８０号公報
【特許文献２】特開２００９−１１５５９９号公報
【特許文献３】特開２０１０−１３４１９５号公報
【特許文献４】国際公開２００８／００６００６号
【非特許文献】
【０００９】
【非特許文献１】「診断に役立つ免疫組織化学」、文光堂
【発明の概要】
【発明が解決しようとする課題】
【００１０】
しかしながら、現在、蛍光免疫染色では蛍光色素が用いられており、発光強度が低いという課題がある。加えて、赤外励起・発光の色素を用いる場合、発光波長が可視域から外れるため、目視での確認が困難となり、また、検出素子も高価なものとなる。このため、観察には例えば共焦点レーザー顕微鏡のような高価な測定機器が必要となるという課題がある。
したがって、本発明の主な目的は、形態観察染色と免疫染色とを同時におこなう場合において、赤外・励起発光の蛍光色素を使用しなくても、蛍光標識体を用いて形態観察染色と免疫染色とを識別することができる生体物質検出方法を提供することにある。
【課題を解決するための手段】
【００１２】
上記課題を解決するため本発明の第１の態様によれば、
ＦＦＰＥ切片から生体物質を特異的に検出する生体物質検出方法において、
蛍光標識体を用いて前記ＦＦＰＥ切片を免疫染色する工程と、
形態観察のための染色試薬を用いて前記ＦＦＰＥ切片を形態観察染色する工程であって、前記染色試薬としてエオジンを含む染色試薬を使用する工程と、
染色後の前記ＦＦＰＥ切片に励起光を照射して蛍光発光させ、前記ＦＦＰＥ切片から前記生体物質を検出する工程とを、有しており、
前記ＦＦＰＥ切片を免疫染色する工程では、前記蛍光標識体として、蛍光色素が有機物または無機物の粒子に内包され、かつ、励起波長が前記染色試薬の励起波長域とは異なる領域に存在する蛍光色素内包粒子であって、平均粒径が５０〜２００ｎｍである前記蛍光色素内包粒子を使用する生体物質検出方法が提供される。
【００１３】
本発明の第２の態様によれば、
ＦＦＰＥ切片から生体物質を特異的に検出する生体物質検出方法において、
蛍光標識体を用いて前記ＦＦＰＥ切片を免疫染色する工程と、
形態観察のための染色試薬を用いて前記ＦＦＰＥ切片を形態観察染色する工程であって、前記染色試薬としてエオジンを含む染色試薬を使用する工程と、
染色後の前記ＦＦＰＥ切片に励起光を照射して蛍光発光させ、前記ＦＦＰＥ切片から前記生体物質を検出する工程とを、有しており、
前記ＦＦＰＥ切片を免疫染色する工程では、前記蛍光標識体として、蛍光体または半導体で組成された蛍光ナノ粒子が有機物または無機物の粒子に内包され、かつ、励起波長が前記染色試薬の励起波長域とは異なる領域に存在する蛍光ナノ粒子内包粒子であって、平均粒径が５０〜２００ｎｍである前記蛍光ナノ粒子内包粒子を使用する生体物質検出方法が提供される。
【発明の効果】
【００１４】
本発明によれば、形態観察染色と免疫染色とを同時におこなう場合において、赤外・励起発光の蛍光色素を使用しなくても、蛍光標識体を用いて形態観察染色と免疫染色とを識別することができる。
【図面の簡単な説明】
【００１５】
【図１】エオジンの蛍光スペクトルと励起スペクトルとを概略的に示すスペクトル図である。
【発明を実施するための形態】
【００１６】
以下、本発明を実施するための形態について説明するが、本発明はこれらに限定されない。
本発明の好ましい実施形態にかかる生体物質検出方法は、病理切片から生体物質を特異的に検出する方法であり、基本的には（１）蛍光標識体を用いて病理切片を免疫染色する工程と、（２）形態観察のための染色試薬を用いて病理切片を形態観察染色する工程と、（３）染色後の病理切片に励起光を照射して蛍光発光させ、その病理切片から生体物質を検出する工程とを、有している。
特に（１）の病理切片を免疫染色する工程では、蛍光標識体として、励起波長が形態観察のための染色試薬の励起波長域とは異なる領域に存在する特殊な蛍光ナノ粒子、蛍光色素内包粒子または蛍光ナノ粒子内包粒子を使用するようになっている。
蛍光標識体の特性や種類、免疫染色、形態観察染色などの詳細は下記のとおりである。
なお、（１）の免疫染色する工程と（２）の形態観察染色する工程とでは、どちらの工程の処理が先に実行されてもよく、その順序（先後）は不問である。
【００１７】
〔蛍光標識体〕
ＨＥ染色に用いられるエオジンは顕微鏡観察条件によっては蛍光を放つ。エオジン吸収波長は多くの蛍光標識体の励起波長と重複するため、染色に用いたエオジンの発光が蛍光標識体の観察を妨害するという課題があった。エオジンの蛍光スペクトル（励起波長５２０ｎｍ）と励起スペクトル（蛍光波長５４０ｎｍ）を図１に示す。励起スペクトルより、エオジンは３５０ｎｍ未満の波長域および４５０ｎｍを超えかつ５５０ｎｍ未満の波長域で効率よく励起されることがわかる。
従って、本実施形態にかかる蛍光標識体は、この波長域を回避した３５０〜４５０ｎｍの波長域かまたは５５０ｎｍ以上の長波長域で励起される蛍光標識体である必要がある。
また、本実施形態にかかる蛍光標識体の発光波長は、エオジンの吸収・発光の影響や組織自家蛍光との兼ね合いから５５０ｎｍ以上の長波長側であって、蛍光顕微鏡観察時に目視確認できる必要があるため、７００ｎｍ以下の短波長側であることが好ましい。特に視感度の観点から、本実施形態にかかる蛍光標識体の発光波長は、好ましくは５９０〜６５０ｎｍ（５９０ｎｍ以上で６５０ｎｍ以下）であり、より好ましくは５９０〜６３０ｎｍ（５９０ｎｍ以上で６３０ｎｍ以下）である。
【００１８】
〔蛍光標識体の種類〕
蛍光標識体の輝度が高い方が、ノイズであるエオジンの蛍光や細胞自家蛍光に対する信号値の比の観点から好ましい。従って、本発明の蛍光標識体としては、蛍光色素と比して輝度が高い、（Ａ）蛍光ナノ粒子や（Ｂ）蛍光色素内包粒子、（Ｃ）蛍光ナノ粒子内包粒子が好適に用いられる。
【００１９】
〔（Ａ）蛍光ナノ粒子〕
本発明で用いられる蛍光ナノ粒子とは、粒子サイズが１〜５００ｎｍのものであり、好ましくは１０〜２００ｎｍである。
蛍光ナノ粒子は半導体または蛍光体から構成される。
半導体は例えばＩＩ−ＶＩ族半導体であるＺｎＳｅ、ＺｎＴｅ、ＣｄＳｅ、ＣｄＴｅ、ＰｂＳ、ＰｂＳｅ、ＰｂＴｅ等やＩＩ−ＶＩ族半導体であるＡｌＡｓ、ＡｌＳｂ、ＧａＰ、ＧａＡｓ、ＧａＳｂ、ＩｎＰ、ＩｎＡｓ、ＩｎＳｂ等を用いることができ、毒性の観点から、ＧａＰやＩｎＰを好適に用いることができる。
蛍光体は、例えば母体にＹ２Ｏ３やＹＶＯ４、ＺｎＯ、ＺｎＳ等を用い、発光中心にＥｕやＮｄ等を用いることができる。
蛍光ナノ粒子の粒子サイズ、母体組成、不純物量を調整することで観察に適した励起波長とする。励起波長はエオジンの吸収波長と重複しないよう、３５０〜４５０ｎｍの波長域かまたは５５０ｎｍ以上の長波長域で励起される蛍光ナノ粒子である必要がある。
【００２０】
〔（Ｂ）蛍光色素内包粒子〕
本発明で用いられる蛍光色素内包粒子とは、有機物または無機物でできた粒子に対し、蛍光色素が内包されてなるものである。
内包用の粒子は、例えば、ポリスチレン、ポリアミド、ポリ乳酸、ポリアクリロニトリル、ポリグリシジルメタクリレート、ポリメラミン、ポリウレア、ポリベンゾグアナミン、ポリフラン、ポリキシレン、フェノール樹脂、多糖、シリカ等であって、安定に蛍光体を内包できるものである。粒子原料であるモノマーに色素分子を結合させて粒子を合成する方法、粒子に色素を吸着させて導入する方法等、粒子への色素の導入はいかなる方法を用いても構わない。粒子サイズは１０〜５００ｎｍのものであり、好ましくは５０〜２００ｎｍである。
内包される蛍光色素は、エオジンの吸収波長と重複しないよう、３５０〜４５０ｎｍの波長域かまたは５５０ｎｍ以上の長波長域で励起する必要がある。
内包される蛍光色素としては、例えば、ローダミン系色素分子、Ａｌｅｘａ  Ｆｌｕｏｒ（インビトロジェン社製）系色素分子、ＢＯＤＩＰＹ（インビトロジェン社製）系色素分子、Ｔｅｘａｓ  Ｒｅｄ系色素分子、スクアリリウム系色素分子、シアニン系色素分子、ローダミン系色素分子、オキサジン系色素分子、芳香環系色素分子、カルボピロニン系色素分子等を挙げることができる。
具体的には、５−カルボキシ−ローダミン、６−カルボキシ−ローダミン、５，６−ジカルボキシ−ローダミン、ローダミン  ６Ｇ、テトラメチルローダミン、Ｘ−ローダミン、及びＡｌｅｘａ  Ｆｌｕｏｒ  ５５５、Ａｌｅｘａ  Ｆｌｕｏｒ  ５６８、Ａｌｅｘａ  Ｆｌｕｏｒ  ５９４、Ａｌｅｘａ  Ｆｌｕｏｒ  ６１０、Ａｌｅｘａ  Ｆｌｕｏｒ  ６３３、Ａｌｅｘａ  Ｆｌｕｏｒ  ６３５、Ａｌｅｘａ  Ｆｌｕｏｒ  ６４７、Ａｌｅｘａ  Ｆｌｕｏｒ  ６６０、Ａｌｅｘａ  Ｆｌｕｏｒ  ６８０、Ａｌｅｘａ  Ｆｌｕｏｒ  ７００、Ａｌｅｘａ  Ｆｌｕｏｒ  ７５０、ＢＯＤＩＰＹ  ＦＬ，ＢＯＤＩＰＹ  ＴＭＲ、ＢＯＤＩＰＹ  ４９３／５０３、ＢＯＤＩＰＹ  ５３０／５５０、ＢＯＤＩＰＹ  ５５８／５６８、ＢＯＤＩＰＹ  ５６４／５７０、ＢＯＤＩＰＹ  ５７６／５８９、ＢＯＤＩＰＹ  ５８１／５９１、ＢＯＤＩＰＹ  ６３０／６５０、ＢＯＤＩＰＹ  ６５０／６６５（以上インビトロジェン社製）、Ｃｙ５、Ｃｙ５．５、１，３−Ｂｉｓ［４−（ｄｉｍｅｔｈｙｌａｍｉｎｏ）−２−ｈｙｄｒｏｘｙｐｈｅｎｙｌ］−２，４−ｄｉｈｙｄｒｏｘｙｃｙｃｌｏｂｕｔｅｎｅｄｉｙｌｉｕｍ  ｄｉｈｙｄｒｏｘｉｄｅ，  ｂｉｓ、１，３−Ｂｉｓ［４−（ｄｉｍｅｔｈｙｌａｍｉｎｏ）ｐｈｅｎｙｌ］−２，４−ｄｉｈｙｄｒｏｘｙｃｙｃｌｏｂｕｔｅｎｅｄｉｙｌｉｕｍ  ｄｉｈｙｄｒｏｘｉｄｅ，  ｂｉｓ、２−（４−（Ｄｉｅｔｈｙｌａｍｉｎｏ）−２−ｈｙｄｒｏｘｙｐｈｅｎｙｌ）−４−（４−（ｄｉｅｔｈｙｌｉｍｉｎｉｏ）−２−ｈｙｄｒｏｘｙｃｙｃｌｏｈｅｘａ−２，５−ｄｉｅｎｙｌｉｄｅｎｅ）−３−ｏｘｏｃｙｃｌｏｂｕｔ−１−ｅｎｏｌａｔｅ、２−（４−（Ｄｉｂｕｔｙｌａｍｉｎｏ）−２−ｈｙｄｒｏｘｙｐｈｅｎｙｌ）−４−（４−（ｄｉｂｕｔｙｌｉｍｉｎｉｏ）−２−ｈｙｄｒｏｘｙｃｙｃｌｏｈｅｘａ−２，５−ｄｉｅｎｙｌｉｄｅｎｅ）−３−ｏｘｏｃｙｃｌｏｂｕｔ−１−ｅｎｏｌａｔｅ、２−（８−Ｈｙｄｒｏｘｙ−１，１，７，７−ｔｅｔｒａｍｅｔｈｙｌ−１，２，３，５，６，７−ｈｅｘａｈｙｄｒｏｐｙｒｉｄｏ［３，２，１−ｉｊ］ｑｕｉｎｏｌｉｎ−９−ｙｌ）−４−（８−ｈｙｄｒｏｘｙ−１，１，７，７−ｔｅｔｒａｍｅｔｈｙｌ−２，３，６，７−ｔｅｔｒａｈｙｄｒｏ−１Ｈ−ｐｙｒｉｄｏ［３，２，１−ｉｊ］ｑｕｉｎｏｌｉｎｉｕｍ−９（５Ｈ）−ｙｌｉｄｅｎｅ）−３−ｏｘｏｃｙｃｌｏｂｕｔ−１−ｅｎｏｌａｔｅ、１−Ｂｕｔｙｌ−２−［５−（１−ｂｕｔｙｌ−１，３−ｄｉｈｙｄｒｏ−３，３−ｄｉｍｅｔｈｙｌ−２Ｈ−ｉｎｄｏｌ−２−ｙｌｉｄｅｎｅ）−ｐｅｎｔａ−１，３−ｄｉｅｎｙｌ］−３，３−ｄｉｍｅｔｈｙｌ−３ｅｉｔｉ−ｉｎｄｏｌｉｕｍ  ｈｅｘａｆｌｕｏｒｏｐｈｏｓｐｈａｔｅ、１−Ｂｕｔｙｌ−２−［５−（１−ｂｕｔｙｌ−３，３−ｄｉｍｅｔｈｙｌ−１，３−ｄｉｈｙｄｒｏ−ｉｎｄｏｌ−２−ｙｌｉｄｅｎｅ）−３−ｃｈｌｏｒｏ−ｐｅｎｔａ−１，３−ｄｉｅｎｙｌ］−３，３−ｄｉｍｅｔｈｙｌ−３Ｈ−ｉｎｄｏｌｉｕｍ  ｈｅｘａｆｌｕｏｒｏｐｈｏｓｐｈａｔｅ、３−Ｅｔｈｙｌ−２−［５−（３−ｅｔｈｙｌ−３Ｈ−ｂｅｎｚｏｔｈｉａｚｏｌ−２−ｙｌｉｄｅｎｅ）−ｐｅｎｔａ−１，３−ｄｉｅｎｙｌ］−ｂｅｎｚｏｔｈｉａｚｏｌ−３−ｉｕｍ  ｉｏｄｉｄｅ、N, N-Di-(2, 6-diisopropylphenyl)-1, 6, 7, 12-(4-tert.butyl-phenoxy)-perylen-3, 4, 9, 10-tetracarbonacid diimide、N,N-Bis(2,6-diisopropylphenyl)-1,6,7,12-tetraphenoxyperylene-3,4:9,10-tetracarboxdiimide、N,N'-Bis(2,6-diisopropylphenyl)perylene-3,4:9,10-bis(dicarbimide)、Benzenesulfonic acid, 4,4',4'',4'''-[[2,9-bis[2,6-bis(1-methylethyl)phenyl]-1,2,3,8,9,10-hexahydro-1,3,8,10-tetraoxoanthra[2,1,9-def:6,5,10-d'e'f']diisoquinoline-5,6,12,13-tetrayl]tetrakis(oxy)]tetrakis-、Benzeneethanaminium, 4,4',4'',4'''-[[2,9-bis[2,6-bis(1-
methylethyl)phenyl]-1,2,3,8,9,10-hexahydro-1,3,8,10-tetraoxoanthra[2,1,9-def:6,5,10-d'e'f']diisoquinoline-5,6,12,13-tetrayl]tetrakis(oxy)]tetrakis[N,N,N-trimethyl-、ROX (X-Rhodamine,Rhodamine Red X)、DY-590、5-ROX、Spectrum Red、PYRROMETHENE650、Texas Red、BODIPY TR、DyLight 594、AlexaFluor 594、HiLyte594、HiLyteFluor TR、Cresyl violet、ATTO590、MFP590、DY-610、ATTO610、DY-615、Oxazine170、ATTO620、C-Phycocyanin、AlexaFluor 633、Phycocyanin、ATTO633、DY-630、DY-632、DY-633、MFP631、DyLight633、NorthernLights637、DY-631、DY-634、Nile Blue、APC(Allophycocyanin)、APC-XL、EVOblue30、SRfluor 680-CarboxylateLD700 PERCHLORATE、ATTO 655等を挙げることができる。単独でも複数種を混合したものを用いてもよい。
【００２１】
〔（Ｃ）蛍光ナノ粒子内包粒子〕
本発明で用いられる蛍光ナノ粒子内包粒子とは、有機物または無機物でできた粒子に対し、上記（Ａ）で説明した蛍光ナノ粒子が内包されてなるものである。
粒子原料であるモノマーに蛍光ナノ粒子を結合させて粒子を合成する方法、粒子に蛍光ナノ粒子を吸着させて導入する方法等、粒子への蛍光ナノ粒子の導入はいかなる方法を用いても構わない。
内包される蛍光ナノ粒子の粒子サイズ、母体組成、不純物量を調整することで観察に適した励起波長とする。
励起波長はエオジンの吸収波長と重複しないよう、３５０〜４５０ｎｍの波長域かまたは５５０ｎｍ以上の長波長域で励起される蛍光ナノ粒子である必要がある。例えば前述の蛍光ナノ粒子の項に記載の蛍光体である。
蛍光ナノ粒子内包粒子のサイズは１０〜５００ｎｍのものであり、好ましくは５０〜２００ｎｍである。
【００２２】
〔形態観察染色〕
形態観察染色のうち、特に組織標本に関しては、標本の形態を観察するための形態観察染色として、ヘマトキシリンおよびエオジンの２つの色素を用いるヘマトキシリン・エオジン染色（ＨＥ染色）が標準的に用いられているが、これに限定されるものではない。他の形態観察染色としては、例えば細胞診に用いられるパパニコロウ染色（Ｐａｐ染色）等がある。
また、ＨＥ染色では、ヘマトキシリン染色により細胞核・石灰部・軟骨組織・細菌・粘液が青藍色〜淡青色に染色され、エオジン染色により細胞質・間質・各種線維・赤血球・角化細胞が赤〜濃赤色に染色されるが、これに限定されるものではない。ヘマトキシリン類縁体やヘマトキシリンと同様の吸収波長を持つ色素により細胞核・石灰部・軟骨組織・細菌・粘液が青藍色〜淡青色に染色され、エオジン類縁体やエオジンと類似の吸収波長を持つ色素により細胞質・間質・各種線維・赤血球・角化細胞が赤〜濃赤色に染色されても良い。
【００２３】
〔免疫染色〕
免疫組織染色の方法としては蛍光染色法が好適に用いられる。
蛍光染色法は抗原部を蛍光標識体で染色する方法である。蛍光染色法以外の方法として例えば酵素を用いた色素染色法（ＤＡＢ染色）があるが、これは感度の点で蛍光染色法に劣る。
染色の際には、蛍光標識体と１次抗体を直接結合した標識を作製し、抗原を染色する方法（１次抗体法）、蛍光標識体と２次抗体を直接結合した標識を作製し、抗原に１次抗体を結合したものを染色する方法（２次抗体法）、蛍光標識体とビオチンを直接結合した標識を作製し、抗原に１次抗体とアビジンあるいはストレプトアビジン修飾した２次抗体を結合したものを染色する方法（ビオチン−アビジン法またはサンドイッチ法）等を用いることができる。
染色に用いる１次抗体はいかなるものでも構わない。免疫組織染色を行ないたい対象によって変わる。例えばＨＥＲ２抗原の染色を行なう場合には、抗ＨＥＲ２抗体を用いる。また、２次抗体は如何なるものを用いても構わない。１次抗体によって変わり、例えば抗マウス・ラビット・牛・ヤギ・羊・犬・チキンが挙げられる。
蛍光標識体と抗体やビオチンの結合は既存の如何なる方法を用いても構わない。例えば、アミンとカルボン酸の反応によるアミド化、マレイミドとチオールの反応によるスルフィド化、アルデヒドとアミンの反応によるイミン化、エポキシとアミンの反応によるアミノ化等を用いることができる。
なお、上記では組織染色について示したが、これに限定するものではなく、細胞染色にも使用可能である。
【実施例】
【００２４】
以下、実施例を挙げて本発明を詳細に説明するが、本発明はこれらに限定されない。【００２５】
［サンプルの作製］
（サンプル１：蛍光ナノ粒子）
末端がアミノ基となっているＰＥＧ修飾ＣｄＳｅ／ＺｎＳ蛍光ナノ粒子（インビトロジェン社Ｑｄｏｔ６５５）を抗体結合用の蛍光ナノ粒子として準備した。
一方、抗ヒトＥＲ抗体を１Ｍジチオスレイトール（ＤＴＴ）で還元処理を行い、ゲルろ過カラムにより過剰のＤＴＴを除去することによりシリカ粒子に結合可能な還元化抗体溶液を得た。
上記の抗体結合用の蛍光ナノ粒子と還元化抗体とを、ＥＤＴＡを２ｍＭ含有したＰＢＳ中で混合し、１時間反応させた。１０ｍＭメルカプトエタノールを添加し、反応を停止させた。得られた溶液を遠心フィルターで濃縮後、精製用ゲルろ過カラムを用いて未反応抗体等を除去し、抗ヒトＥＲ抗体結合・蛍光ナノ粒子を得た。【００２６】
（サンプル２：蛍光ナノ粒子）
サンプル１と同一の抗ヒトＥＲ抗体結合・蛍光ナノ粒子を作製した。
なお、後述の観察において、サンプル１に対しては励起波長３７５ｎｍ、サンプル２に対しては励起波長５７５ｎｍで観察を行なった。サンプル１，２に対しては、同一の蛍光ナノ粒子を使用し、励起波長だけを変えて観察した。【００２７】
（サンプル３：蛍光ナノ粒子）
末端がアミノ基となっているＰＥＧ修飾ＣｄＳｅ／ＺｎＳ蛍光ナノ粒子（インビトロジェン社Ｑｄｏｔ６０５）を抗体結合用の蛍光ナノ粒子として用いた。
それ以外はサンプル１と同様にして、抗ヒトＥＲ抗体結合・蛍光ナノ粒子を作製した。【００２８】
（サンプル４：蛍光色素内包粒子）
蛍光色素ＣＹ５−ＳＥ（ロシュ社製）９．９ｍｇと３−アミノプロピルトリメトキシシラン（３−ａｍｉｎｏｐｒｏｐｙｌｔｒｉｍｅｔｏｘｙｓｉｌａｎｅ、信越シリコーン社製、ＫＢＭ９０３）３μＬとをＤＭＦ中で混合し、オルガノアルコキシシラン化合物を得た。得られたオルガノアルコキシシラン化合物０．６ｍｌを、４８ｍｌのエタノール、０．６ｍｌのＴＥＯＳ（テトラエトキシシラン）、２ｍｌの水、２ｍｌの２８％アンモニア水と３時間混合した。上記工程で作製した混合液を１００００Ｇで２０分遠心分離を行い、上澄みを除去した。エタノールを加え、沈降物を分散させ、再度遠心分離を行った。同様の手順でエタノールと純水による洗浄を２回ずつ行った。得られたテトラメチルローダミン内包・シリカナノ粒子のＳＥＭ観察を行ったところ、平均粒径は１０４ｎｍ、変動係数は１２％であった。
得られた蛍光体内包シリカナノ粒子を、ＥＤＴＡ（エチレンジアミン四酢酸）を２ｍＭ含有したＰＢＳ（リン酸緩衝液生理的食塩水）を用いて３ｎＭに調整し、この溶液に最終濃度１０ｍＭとなるようＳＭ（ＰＥＧ）１２（サーモサイエンティフィック社製、ｓｕｃｃｉｎｉｍｉｄｙｌ−［（Ｎ−ｍａｌｅｏｍｉｄｏｐｒｏｐｉｏｎａｍｉｄ）−ｄｏｄｅｃａｅｔｈｙｌｅｎｅｇｌｙｃｏｌ］ｅｓｔｅｒ）を混合し、１時間反応させた。この混合液を１００００Ｇで２０分遠心分離を行い、上澄みを除去した後ＥＤＴＡを２ｍＭ含有したＰＢＳを加え、沈降物を分散させ、再度遠心分離を行った。同様の手順による洗浄を３回行うことで抗体結合用の蛍光色素内包粒子を得た。
一方、抗ヒトＥＲ抗体を１Ｍジチオスレイトール（ＤＴＴ）で還元処理を行い、ゲルろ過カラムにより過剰のＤＴＴを除去することによりシリカ粒子に結合可能な還元化抗体溶液を得た。
上記で得られた抗体結合用の蛍光色素内包粒子と還元化抗体とを、ＥＤＴＡを２ｍＭ含有したＰＢＳ中で混合し、１時間反応させた。１０ｍＭメルカプトエタノールを添加し、反応を停止させた。得られた溶液を１００００Ｇで２０分遠心分離を行い、上澄みを除去した後、ＥＤＴＡを２ｍＭ含有したＰＢＳを加え、沈降物を分散させ、再度遠心分離を行った。同様の手順による洗浄を３回行うことで抗ヒトＥＲ抗体結合・蛍光色素内包粒子を得た。【００２９】
（サンプル５−１：蛍光色素内包粒子）
蛍光色素としてＴＡＭＲＡ色素（ＰＣＣ社製）を用いた。
それ以外はサンプル４と同様にして、抗ヒト抗体結合・蛍光色素内包粒子を合成した。【００３０】
（サンプル５−２：蛍光色素内包粒子）
蛍光色素としてTexasRed色素（シグマアルドリッチ社製）を用いた。
それ以外はサンプル４と同様にして、抗ヒト抗体結合・蛍光色素内包粒子を合成した。【００３１】
（サンプル５−３：蛍光色素内包粒子）
サンプル４の作製において、蛍光色素としてオキサジン170色素（シグマアルドリッチ社製）を用いるとともに、３−アミノプロピルトリメトキシシラン（３−ａｍｉｎｏｐｒｏｐｙｌｔｒｉｍｅｔｏｘｙｓｉｌａｎｅ、信越シリコーン社製、ＫＢＭ９０３）に代えて３−グリシジルオキシプロピルトリメトキシシラン（3-Glycidyloxypropyltrimethoxysilane、TCI社製）を用いた。
それ以外はサンプル４と同様にして、抗ヒト抗体結合・蛍光色素内包粒子を合成した。【００３２】
（サンプル５−４：蛍光色素内包粒子）
オキサジン170（シグマアルドリッチ社製）２．５ｍｇを水２２．５ｍｌに加えた後、ホットスターラ―上において６０℃で２０分間加熱し、ニカラックMX−035（日本カーバイド工業社製）１．５ｇを加え、さらに５分間加熱撹拌した。
その後、上記溶液にギ酸１００μｌを加え、６０℃で２０分間加熱攪拌し、室温放冷した。
冷却後、反応混合物を、遠心用チューブに入れて遠心分離機にセットし、１２０００ｒｐｍで２０分間遠心分離し、その上澄みを除去した。
その後、上澄みを除去した反応混合物を、エタノールと水で洗浄した。
得られた粒子を、サンプル４と同様に、ＳＭ（ＰＥＧ）１２（サーモサイエンティフィック社製、ｓｕｃｃｉｎｉｍｉｄｙｌ−［（Ｎ−ｍａｌｅｏｍｉｄｏｐｒｏｐｉｏｎａｍｉｄ）−ｄｏｄｅｃａｅｔｈｙｌｅｎｅｇｌｙｃｏｌ］ｅｓｔｅｒ）を用いて抗ヒトＥＲ抗体修飾を行ない、抗体結合用の蛍光色素内包粒子を得た。
それ以外はサンプル４と同様にして、抗ヒト抗体結合・蛍光色素内包粒子を合成した。【００３３】
（サンプル５−５：蛍光色素内包粒子）
蛍光色素としてTexasRed色素（シグマアルドリッチ社製）を用いた。
内包用の粒子としてフェノール樹脂を用いた。
それ以外はサンプル４と同様にして、抗ヒト抗体結合・蛍光色素内包粒子を合成した。【００３４】
（サンプル５−６：蛍光色素内包粒子）
蛍光色素としてTexasRed色素（シグマアルドリッチ社製）を用いた。
内包用の粒子としてポリフランを用いた。
それ以外はサンプル４と同様にして、抗ヒト抗体結合・蛍光色素内包粒子を合成した。【００３５】
（サンプル５−７：蛍光色素内包粒子）
蛍光色素としてTexasRed色素（シグマアルドリッチ社製）を用いた。
内包用の粒子としてPS／GMA複合体を用いた。
それ以外はサンプル４と同様にして、抗ヒト抗体結合・蛍光色素内包粒子を合成した。【００３６】
（サンプル５−８：蛍光色素内包粒子）
蛍光色素としてTexasRed色素（シグマアルドリッチ社製）を用いた。
内包用の粒子としてPS／PMMA複合体を用いた。
それ以外はサンプル４と同様にして、抗ヒト抗体結合・蛍光色素内包粒子を合成した。【００３７】
（サンプル５−９：蛍光色素内包粒子）
蛍光色素としてTexasRed色素（シグマアルドリッチ社製）を用いた。
内包用の粒子としてPS／アクリロニトリル複合体を用いた。
それ以外はサンプル４と同様にして、抗ヒト抗体結合・蛍光色素内包粒子を合成した。【００３８】
（サンプル５−１０：蛍光色素内包粒子）
蛍光色素としてTexasRed色素（シグマアルドリッチ社製）を用いた。
内包用の粒子としてPS／アセトニトリル／GMA複合体を用いた。
それ以外はサンプル４と同様にして、抗ヒト抗体結合・蛍光色素内包粒子を合成した。【００３９】
（サンプル６：蛍光ナノ粒子内包粒子）
蛍光ナノ粒子としてＣｄＳｅ／ＺｎＳデカン分散液（インビトロジェン社Ｑｄｏｔ６５５）１０μＬを準備し、テトラエトキシシラン４０μＬを混合した。これとは別に、エタノール４ｍＬ、１４％アンモニア水１ｍＬを混合し、室温下で撹拌した。ここに先ほどのＣｄＳｅ／ＺｎＳデカン分散液とテトラエトキシシランの混合液を加え、添加から１２時間、撹拌を続け、蛍光ナノ粒子内包粒子を得た。反応液を１００００Ｇで３０分遠心分離を行ない、上澄みを除去した。これにエタノールを加えて再分散後、再度遠心分離を行ない、蛍光ナノ粒子内包粒子の洗浄を行なった。同様の手順でエタノールと純水による洗浄を１回ずつ行なった。得られた蛍光ナノ粒子内包粒子のＳＥＭ観察を行ったところ、平均粒径は１２０ｎｍ、変動係数は１２％であった。
得られた蛍光ナノ粒子内包粒子を、ＥＤＴＡ（エチレンジアミン四酢酸）を２ｍＭ含有したＰＢＳ（リン酸緩衝液生理的食塩水）を用いて３ｎＭに調整し、この溶液に最終濃度１０ｍＭとなるようＳＭ（ＰＥＧ）１２（サーモサイエンティフィック社製、ｓｕｃｃｉｎｉｍｉｄｙｌ−［（Ｎ−ｍａｌｅｏｍｉｄｏｐｒｏｐｉｏｎａｍｉｄ）−ｄｏｄｅｃａｅｔｈｙｌｅｎｅｇｌｙｃｏｌ］ｅｓｔｅｒ）を混合し、１時間反応させた。この混合液を１００００Ｇで２０分遠心分離を行い、上澄みを除去した後、ＥＤＴＡを２ｍＭ含有したＰＢＳを加え、沈降物を分散させ、再度遠心分離を行った。同様の手順による洗浄を３回行うことで抗体結合用の蛍光ナノ粒子内包粒子を得た。
一方、抗ヒトＥＲ抗体を１Ｍジチオスレイトール（ＤＴＴ）で還元処理を行い、ゲルろ過カラムにより過剰のＤＴＴを除去することにより蛍光ナノ粒子内包粒子に結合可能な還元化抗体溶液を得た。
上記で得られた抗体結合用の蛍光ナノ粒子内包粒子と還元化抗体とを、ＥＤＴＡを２ｍＭ含有したＰＢＳ中で混合し、１時間反応させた。１０ｍＭメルカプトエタノールを添加し、反応を停止させた。得られた溶液を１００００Ｇで２０分遠心分離を行い、上澄みを除去した後、ＥＤＴＡを２ｍＭ含有したＰＢＳを加え、沈降物を分散させ、再度遠心分離を行った。同様の手順による洗浄を３回行うことで抗ヒトＥＲ抗体結合・蛍光ナノ粒子内包粒子を得た。【００４０】
（サンプル７：蛍光ナノ粒子内包粒子）
サンプル６と同一の抗ヒトＥＲ抗体結合・蛍光ナノ粒子内包粒子を作製した。
なお、後述の観察において、サンプル６に対しては励起波長３７５ｎｍ、サンプル７に対しては励起波長５７５ｎｍで観察を行なった。サンプル６，７に対しては、同一の蛍光ナノ粒子内包粒子を使用し、励起波長だけを変えて観察した。【００４１】
（サンプル８：蛍光ナノ粒子内包粒子）
蛍光ナノ粒子としてＣｄＳｅ／ＺｎＳデカン分散液（インビトロジェン社Ｑｄｏｔ６０５）を用いた。
それ以外はサンプル６と同様にして、抗ヒト抗体結合・蛍光ナノ粒子内包粒子を作製した。【００４２】
（サンプル９：蛍光ナノ粒子内包粒子）
蛍光ナノ粒子としてＣｄＳｅ／ＺｎＳデカン分散液（インビトロジェン社Ｑｄｏｔ７０５）を用いた。
それ以外はサンプル６と同様にして、抗ヒトＥＲ抗体結合・蛍光ナノ粒子内包粒子を作製した。【００４３】
（サンプル１１：蛍光色素）
サンプル１と同様の方法で、抗ヒトＥＲ抗体にＣＹ５色素（インビトロジェン社製）を結合したものを作製した。【００４４】
（サンプル１２：蛍光色素）
サンプル１と同様の方法で、抗ヒトＥＲ抗体にＴＡＭＲＡ色素（ＰＣＣ社製）を結合したものを作製した。【００４５】
（サンプル１３：蛍光色素）
サンプル１と同様の方法で、抗ヒトＥＲ抗体にＦＩＴＣ色素（ＰＣＣ社製）を結合したものを作製した。【００４６】
（サンプル１４：蛍光ナノ粒子）
サンプル１と同一の抗ヒトＥＲ抗体結合・蛍光ナノ粒子を作製した。
なお、サンプル１４に対しては、後述の観察時の励起波長を３００ｎｍに変更している。【００４７】
（サンプル１５：蛍光ナノ粒子）
サンプル１と同一の抗ヒトＥＲ抗体結合・蛍光ナノ粒子を作製した。
なお、サンプル１５に対しては、後述の観察時の励起波長を５００ｎｍに変更している。【００４８】
（サンプル１６：蛍光ナノ粒子）
末端がアミノ基となっているＰＥＧ修飾ＣｄＳｅ／ＺｎＳ蛍光ナノ粒子（インビトロジェン社Ｑｄｏｔ５６５）を抗体結合用の蛍光ナノ粒子として用いた。
それ以外はサンプル１と同様にして、抗ヒトＥＲ抗体結合・蛍光ナノ粒子を作製した。【００４９】
（サンプル１７：蛍光色素内包粒子）
蛍光色素としてＦＩＴＣ色素（ＰＣＣ社製）を用いた。
それ以外はサンプル４と同様にして、抗ヒトＥＲ抗体結合・蛍光色素内包粒子を合成した。【００５０】
（サンプル１８：蛍光ナノ粒子内包粒子）
サンプル６と同一の抗ヒトＥＲ抗体結合・蛍光ナノ粒子内包粒子を作製した。
なお、サンプル１８に対しては、後述の観察において励起波長３００ｎｍで観察を行なった。【００５１】
（サンプル１９：蛍光ナノ粒子内包粒子）
サンプル６と同一の抗ヒトＥＲ抗体結合・蛍光ナノ粒子内包粒子を作製した。
なお、サンプル１９に対しては、後述の観察において励起波長５００ｎｍで観察を行なった。【００５２】
（サンプル２０：蛍光ナノ粒子内包粒子）
蛍光ナノ粒子としてＣｄＳｅ／ＺｎＳデカン分散液（インビトロジェン社Ｑｄｏｔ５６５）を用いた。
それ以外はサンプル６と同様にして、抗ヒトＥＲ抗体結合・蛍光ナノ粒子内包粒子を作製した。【００５３】
［組織染色による評価］
サンプル１〜９，１１〜２０を用いて、ヒト乳房組織の免疫染色と形態観察染色（ＨＥ染色）とを行なった。
染色切片はコスモバイオ社製の組織アレイスライド（CB-A712）を用いた。組織アレイスライドを脱パラフィン処理後、水に置換洗浄、10mMクエン酸緩衝液（pH6.0）中で１５分間オートクレーブ処理することで、抗原の不活化処理を行った。抗原の不活化処理後の組織アレイスライドはPBS緩衝液を用いて洗浄後、湿潤箱中で１時間1％BSA含有PBS緩衝液を用いてブロッキング処理を行った。ブロッキング処理後、1％BSA含有PBS緩衝液で0.05ｎMに希釈した各サンプル１〜９，１１〜２０を組織切片と３時間反応させた。各サンプル１〜９，１１〜２０と反応後、組織アレイスライドを、PBS緩衝液を用いて洗浄した。【００５４】
免疫染色後、形態観察染色（ＨＥ染色）を行なった。
免疫染色した切片をマイヤーヘマトキシリン液で５分間染色してヘマトキシリン染色を行なった後、流水水洗（約４５℃）を３分間行なった。次に、１％エオジン液で５分間染色してエオジン染色を行なった後、純エタノールに５分間つける操作を４回行ない、洗浄・脱水を行なった。続いてキシレンに５分間つける操作を４回行ない、透徹を行なった。最後に、封入剤エンテランニュー（Ｍｅｒｃｋ社製）を用いて封入し観察用サンプルスライドとした。【００５５】
サンプル１〜９，１１〜２０で免疫染色してその後に形態観察染色した組織切片に対し、励起光を照射して蛍光発光させ、その組織切片から、倒立型蛍光顕微鏡（カールツァイス社製）を用いて画像を取得した。
励起波長（ｎｍ）・蛍光波長（ｎｍ）は光学フィルターにより設定した（表１〜表４では、光学フィルターの励起波長・蛍光波長の中心値を記している。）。顕微鏡画像取得時の露光条件は、各励起波長において、焦点付近でのトータルの照射エネルギーが５０Ｊとなるようにした。
Image-Jを用いて取得画像より各画素の輝度を算出し、蛍光標識体で染色した部位（標識部）の平均輝度（標識部輝度）を算出した。当該平均輝度は信号値（Ｓ）に対応する。輝度は「０」を黒（一番暗い）と、「２５５」を白（一番明るい）としている。同時に、蛍光標識された細胞近傍の、蛍光標識されておらず且つエオジン染色された部位（エオジン染色部）についても平均輝度（エオジン染色部輝度）を算出した。当該平均輝度はノイズ値（Ｎ）に対応する。
標識部輝度とエオジン染色部輝度との比をＳ／Ｎ比として、Ｓ／Ｎ比が１．５以上であれば、標識部とエオジン染色部との判別が容易であったことから、Ｓ／Ｎ比１．５を判断値とした。
顕微鏡画像取得時には目視による蛍光観察も行ない、目視視認性の評価を行なった。【００５６】
用いたサンプル１〜９，１１〜２０によってこれら評価実験を「実験例１〜９，１１〜２０」とし、各実験例１〜９，１１〜２０における蛍光標識体の種類，励起波長，蛍光波長，標識部輝度，エオジン染色部輝度，Ｓ／Ｎ比，判別性（Ｓ／Ｎ比評価），蛍光標識発光色視認性（目視視認性）を、表１〜表４に示す。
判別性（Ｓ／Ｎ比評価）については、Ｓ／Ｎ比が１．５以上で標識部とエオジン染色部の判別が容易となるので、１．５以上の場合を「○（適）」と、１．５未満の場合を「×（不適）」とした。
蛍光標識発光色視認性（目視視認性）については、目視による蛍光観察で見易いものを「○」と、見えにくいものを「△」と、全く見えないものを「×」とした。【００５７】
【表１】
0005974892.tif 000002
【００５８】
【表２】
0005974892.tif 000003
【００５９】
【表３】
0005974892.tif 000004
【００６０】
【表４】
0005974892.tif 000005
【００６１】
表１〜表４に示すとおり、実験例１〜９と実験例１１〜１３とでは、蛍光ナノ粒子・蛍光色素内包粒子・蛍光ナノ粒子内包粒子を用いた場合と蛍光色素のみを用いた場合とを比較している。蛍光ナノ粒子・蛍光色素内包粒子・蛍光ナノ粒子内包粒子を用いた場合は、蛍光色素のみを用いた場合に比して、標識部輝度とエオジン染色部輝度との差が大きく、蛍光標識体のＳ／Ｎ比が高いことが分かる。その一方、蛍光色素のみを用いた場合は、Ｓ／Ｎ比が低くなっており、標識部を目視では視認性できない結果となった。【００６２】
実験例１〜３，１４〜１６では、蛍光ナノ粒子を用いた場合であって、励起波長がエオジンの励起波長とずれているとき（実験例１〜３）と、励起波長がエオジンの励起波長と合致しているとき（実験例１４〜１６）とを比較している。励起波長がエオジンの励起波長とずれているときは、合致しているときと比較して、Ｓ／Ｎ比が高くなっている。この関係は、蛍光色素内包粒子を用いた実験例４〜５，１７や、蛍光ナノ粒子内包粒子を用いた実験例６〜９，１８〜２０でも、同様となっている。【００６３】
以上から、蛍光標識体として、エオジンの励起波長域（３５０ｎｍ未満の領域および４５０ｎｍを超えかつ５５０ｎｍ未満の領域）を回避した波長域（３５０〜４５０ｎｍの波長域かまたは５５０ｎｍ以上の長波長域）に励起波長が存在する特殊な蛍光ナノ粒子，蛍光色素内包粒子，蛍光ナノ粒子内包粒子を使用すれば、Ｓ／Ｎ比の値が高く、免疫染色と形態観察染色とを識別できることがわかる。【００６４】
なお、実験例７〜８，９では、蛍光波長が異なっており、蛍光標識発光色視認性を比較しているが、実験例９では、発光波長（蛍光波長）が近赤外領域に近いため、標識部を目視では視認しにくい結果となった。標識部を目視で確認する上では、蛍光標識体として、発光波長が５５０〜７００ｎｍの標識体を使用するのが好ましい。
【産業上の利用可能性】
【００６５】
本発明は、形態観察染色と免疫染色とを同時におこなう場合において、病理切片から生体物質を特異的に検出するのに利用することができる。
【図１】
0005974892.tif 000006